(57)【要約】【課題】  非常時などに確実に移動させることができ、乗員が迅速にシートから離脱できる乗員離脱装置を提供する。【解決手段】  車両内に前後方向に移動可能に設置されたシート本体１１と、電力の供給により作動する電動駆動源１２と、シート本体１１と電動駆動源１２とを連結してシート本体１１を移動させる駆動力伝達手段１３と、駆動力伝達手段１３の伝達を解除する伝達解除手段１４と、からなる電動シート装置１０と、シート本体１１の前方に装備されたエアバッグ２０と、車両の状態を検出する検出手段３０と、検出手段３０の検出結果に応じてエアバッグ２０を展開させ、エアバッグ２０が展開した後に伝達解除手段を作動させる制御手段４０と、を有する。  また、制御手段４０は、バックアップ電源４１を有するのが望ましい。【選択図】      図２
2005271732.tif 000002
【特許請求の範囲】
【請求項１】
車両内に前後方向に移動可能に設置されたシート本体と、電力の供給により作動する電動駆動源と、前記シート本体と該電動駆動源とを連結して該シート本体を移動させる駆動力伝達手段と、該駆動力伝達手段の伝達を解除する伝達解除手段と、からなる電動シート装置と、
前記シート本体の前方に装備されたエアバッグと、
前記車両の状態を検出する検出手段と、
該検出手段の検出結果に応じて前記エアバッグを展開させ、該エアバッグが展開した後に前記伝達解除手段を作動させる制御手段と、
を有することを特徴とする乗員離脱装置。
【請求項２】
前記制御手段は、バックアップ電源を有する請求項１記載の乗員離脱装置。
【請求項３】
前記電動駆動源は、電動モータである請求項１または２記載の乗員離脱装置。
【請求項４】
前記駆動力伝達手段は、前記電動モータに回転駆動されるウォームホイールと、該ウォームホイールと嵌合し該ウォームホイールの回転により前記シート本体を移動させるウォームギアと、からなるギア部を有する請求項３記載の乗員離脱装置。
【請求項５】
前記伝達解除手段は、前記ウォームギアと前記ウォームホイールとの嵌合を解除するアクチュエータを有する請求項４記載の乗員離脱装置。
【請求項６】
前記アクチュエータは、前記ウォームギアまたは前記ウォームホイールの中心軸を移動させるソレノイドである請求項５記載の乗員離脱装置。
【発明の詳細な説明】
【技術分野】
【０００１】
本発明は、モータ等の電動駆動力により移動する電動シートにおいて、エアバッグが作動した非常時に、電動シートを容易に移動させることが可能な乗員離脱装置に関する。
【背景技術】
【０００２】
近年普及の著しい自動車等の電動シートは、通常、モータにより駆動されており、その駆動エネルギーをバッテリー電源に依存している。たとえば、衝突時には、バッテリーが破損したり、配線系統のワイヤが噛み込んだりし、地絡故障、断線故障などが発生することがある。そのため、衝突後には、バッテリー電源が寸断され、電動シートを動かすことができなくなる場合がある。
【０００３】
電動シートは、一般に、電動モータで発生した回転駆動力をギア等により減速して駆動方向を変えて、シート本体をスライド移動させている。通常、モータ側から一方向に駆動力が伝わる仕組みになっているので、たとえば、駆動力を受ける側のシート本体を動かしても、電動モータを空転させることはできず、結果として、電力の供給無しではシート本体の位置を変えられない。
【０００４】
そのため、衝突時に車体がつぶれ、乗員がダッシュボードやエアバッグとシートとの間に挟まれた場合に、シート本体の位置を簡単に移動させたいという要求がある。
【０００５】
ところで、特許文献１および特許文献２には、車両が衝突して、仮に電源ケーブルが切断された場合でも、衝突後にドアロックが解除できるドアロック制御装置が開示されている。この他にも特許文献２には、非常時の二次災害を防ぐための消火装置や、電源遮断装置、事故を外部に通報する通報装置等が開示されている。したがって、電動シート装置に関しても、上記問題点を解消するための手段が必要である。
【０００６】
そこで、特許文献３では、シートを固定している止め具を外して、シートを後方に移動させるアクチュエータを有する乗員離脱装置を開示している。しかしながら、特許文献３の乗員離脱装置では、アクチュエータとシートとが常に連動するため、アクチュエータを作動させる電力が尽きた場合には、シートの移動が困難となる場合が考えられる。
【特許文献１】特開平０７−２６９２０８号公報
【特許文献２】特開平０６−２３４３４２号公報
【特許文献３】特開平０６−０５５９８５号公報
【発明の開示】
【発明が解決しようとする課題】
【０００７】
本発明は、上記問題点を解決するために、非常時などに確実に移動させることができ、乗員が迅速にシートから離脱できる乗員離脱装置を提供することを目的とする。
【課題を解決するための手段】
【０００８】
本発明の乗員離脱装置は、車両内に前後方向に移動可能に設置されたシート本体と、電力の供給により作動する電動駆動源と、前記シート本体と該電動駆動源とを連結して該シート本体を移動させる駆動力伝達手段と、該駆動力伝達手段の伝達を解除する伝達解除手段と、からなる電動シート装置と、前記シート本体の前方に装備されたエアバッグと、前記車両の状態を検出する検出手段と、該検出手段の検出結果に応じて前記エアバッグを展開させ、該エアバッグが展開した後に前記伝達解除手段を作動させる制御手段と、を有することを特徴とする。
【０００９】
本発明の乗員離脱装置において、前記制御手段は、バックアップ電源を有するのが望ましい。また、前記電動駆動源は、電動モータであるのが望ましい。
【００１０】
前記駆動力伝達手段は、前記電動モータに回転駆動されるウォームホイールと、該ウォームホイールと嵌合し該ウォームホイールの回転により前記シート本体を移動させるウォームギアと、からなるギア部を有するのが好ましい。この際、前記伝達解除手段は、前記ウォームギアと前記ウォームホイールとの嵌合を解除するアクチュエータを有するのが好ましい。また、前記アクチュエータは、前記ウォームギアまたは前記ウォームホイールの中心軸を移動させるソレノイドであるのが好ましい。
【発明の効果】
【００１１】
本発明の乗員離脱装置は、シート本体と電動駆動源とを連結して駆動力を伝達させてシート本体を移動させる駆動力伝達手段の伝達を解除する伝達解除手段を有するため、電動駆動源からの駆動力を用いずに電動シートを移動させることができる。
【００１２】
また、検出手段の検出結果に応じてエアバッグを展開させ、エアバッグが展開した後に伝達解除手段を作動させる制御手段を有するため、衝突から適切な時間差をもたせて伝達解除手段を作動させることができる。さらに、バックアップ電源を有する制御手段であれば、電動駆動源を駆動する電力の供給が絶たれた場合であっても確実に電動シートを移動させることができる。
【発明を実施するための最良の形態】
【００１３】
以下に、本発明の乗員保護装置を実施するための最良の形態を、図１を用いて説明する。
【００１４】
本発明の乗員離脱装置は、電動シート装置と、エアバッグと、検出手段と、制御手段と、を有する。以下に、それぞれの形態を説明する。
【００１５】
本発明の乗員離脱装置において、電動シート装置は、シート本体と、電動駆動源と、駆動力伝達手段と、伝達解除手段と、からなる。
【００１６】
シート本体は、車両内に前後方向に移動可能に設置されたシート本体であれば限定はないが、スライド機構により前後方向に移動する形式のものが好ましい。また、本発明において、電動シート装置とは特にフロントシートに関する装置であるが、フロントシート以外のシート（２列目以降のシート等）に適用してもよい。
【００１７】
電動駆動源は、電力の供給により作動するものであれば特に限定はなく、電動モータであるのが望ましい。そして、電動駆動源は、車両のバッテリー電源により作動するのがよい。
【００１８】
駆動力伝達手段は、シート本体と電動駆動源とを連結してシート本体を移動させる。駆動力伝達手段は、シート本体と電動駆動源とを連結することにより、電動駆動源からの駆動力をシート本体に伝達させることができれば、その構成に特に限定はない。たとえば、電動モータに回転駆動されるウォームホイールと、ウォームホイールと嵌合しウォームホイールの回転によりシート本体を移動させるウォームギアと、からなるギア部を有するのが好ましい。ギア部は、ウォームホイールとウォームギアとの嵌合を解除する（詳しくは後述）ことにより、駆動力の伝達を機械的に断絶することが容易にできるため、本発明の乗員離脱装置に適した構成である。また、ウォームホイールとウォームギアにより、電動モータの回転を減速させるとともに、駆動力の方向を変化させることができる。駆動力の方向を車両の前後方向に変化させれば、前述のスライド機構に適用できる。
【００１９】
伝達解除手段は、駆動力伝達手段の伝達を解除する。通常、電動シート装置は、電力が供給されないと作動しない。また、一般的な電動シート装置では、駆動力は一方向に伝達されるのみである。したがって、たとえば、非常時に電力の供給が絶たれた場合には、電動駆動源を作動させることはできないし、たとえばシート本体の前後方向に力を加えてシートを移動させようとしても、電動駆動源を電力の供給無しで移動させることは通常不可能である。本発明の乗員離脱装置では、シート本体と電動駆動源とを連結してシート本体を移動させる駆動力伝達手段の伝達を解除することにより、電力の供給無しでもシート本体を移動することができる。
【００２０】
なお、「駆動力伝達手段の伝達を解除する」とは、シート本体と電動駆動源との連結を機械的に解除することである。たとえば、駆動力伝達手段がウォームホイールとウォームギアとからなるギア部を有するものであれば、伝達解除手段は、ウォームギアとウォームホイールとの嵌合を解除するアクチュエータを有するのが好ましい。ウォームギアとウォームホイールとの嵌合を解除することにより、駆動力の伝達を機械的に断絶することが容易にできる。そして、ウォームギアは、電動モータの回転駆動力無しで（たとえばシート本体を人為的に押し戻す）シート本体を前後方向に移動させることができる。
【００２１】
アクチュエータは、車両のバッテリー電源が供給されない場合でも作動する必要があるため、バックアップ電源などからの短時間の通電により作動するものが好ましい。たとえば、ウォームギアまたはウォームホイールの中心軸を移動させるソレノイドであるのが好ましい。ウォームギア、ウォームホイールのうち少なくともどちらかの中心軸を移動させることにより、互いの嵌合を簡単に解除することができる。
【００２２】
また、伝達解除手段は、アクチュエータを作動させるバックアップ電源を有してもよい。バックアップ電源は一般的に用いられているものであればよく、その種類を問わない。そして、バックアップ電源は、制御手段（後述）が有するものを用いてもよい。
【００２３】
エアバッグおよび検出手段は、通常のエアバッグ装置の構成であれば、特に限定はない。また、検出手段は、車両に発生した衝撃（加速度）を検出するＧセンサや車速を検出する車速センサ、車両のシートに加えられる重量を検出する重量センサ等の一般的なセンサであればよい。
【００２４】
制御手段は、検出手段の検出結果に応じてエアバッグを展開させ、エアバッグが展開した後に伝達解除手段を作動させる。すなわち、制御手段から、エアバッグを展開させる展開信号と、伝達解除手段を作動させる解除信号と、が送出される。
【００２５】
ところで、エアバッグ装置では、エアバッグＥＣＵなどの制御手段において、検出手段からの検出結果を処理情報として演算処理を行い、その演算結果が閾値を超えたか否かによりエアバッグの展開の要否を判定する。そのため、時間の情報を加えた演算処理を行うことにより、エアバッグの展開から適切な時間差をもたせて伝達解除手段を作動させることが容易にできる。
【００２６】
そして、制御手段は、バックアップ電源を有するのが望ましい。バックアップ電源により、バッテリー電源からの電力の供給が断たれた場合でも、制御手段から展開信号と解除信号とを送出することができる。
【００２７】
また、通常、エアバック装置の制御手段（エアバッグＥＣＵ）には、衝突時にバッテリー電源からの電力の供給が途絶えることを想定し、少なくとも一定時間の制御手段の作動と一回のエアバッグの展開（展開信号の送出）に要する電力を蓄えるバックアップ電源を有する。そこで、このバックアップ電源の電力をエアバッグと電動シート装置（伝達解除手段）とで兼用して、同一のバックアップ電源の電力によりエアバッグの展開と伝達解除手段の解除とを行うことも可能である。
【００２８】
なお、本発明の乗員離脱装置は、上記の実施の形態に限定されるものではなく、他の構成を追加してもよい。
【実施例】
【００２９】
以下に、本発明の乗員保護装置の実施例を、図２〜図５を用いて説明する。なお、図２は、本実施例の乗員離脱装置を示すブロック図である。また、図３〜図５は、電動シート装置を説明するための模式図である。
【００３０】
本実施例の乗員離脱装置において、電動シート１０は、車両内に前後方向に移動可能に設置されたシート本体１１と、電力の供給により作動する電動モータ１２と、シート本体１１と電動モータ１２とを連結してシート本体１１を移動させるギア部１３と、ギア部１３の伝達を解除するソレノイド１４と、からなる。
【００３１】
シート本体１１は、クッション１１１，バックパッド１１２，ヘッドレスト１１３の３部に大きく分かれている（図３）。そのうち、クッション１１１の下部に固定されたクッションフレーム１１１’がスライド機構（後述）と連動することにより、車両の前後方向に移動可能となる。
【００３２】
電動モータ１２は、固定具１２１を介して車両のフロアＦに固定されている（図４）。なお、電動モータ１２は、車両のバッテリー電源から電力を供給されて駆動する。電動モータ１２は、電動モータ１２の両端部から延出し回転可能に固定された２本の駆動シャフト１６を回転駆動する。駆動シャフト１６の一端部は、屈曲自在のユニバーサルジョイント１５を介して電動モータ１２と同軸的に固定されている。駆動シャフト１６の他端部は、解除軸１４１を介してソレノイド１４（後述）が固定されている。駆動シャフト１６は、解除軸１４１に回転可能に固定されている。また、駆動シャフト１６の中央部には、ウォームホイール１３１が固定されている。ウォームホイール１３１は、電動モータ１２の回転駆動により回転する。なお、ウォームホイール１３１は、ギアボックス１３０（後述）に収納されている。
【００３３】
ギア部１３は、歯車であるウォームホイール１３１と、ウォームホイール１３１と嵌合部１３５で噛み合うらせん状の歯１３７を有するウォームギア１３６と、からなり、ギアボックス１３０に収納されている（図５）。なお、図５では、ウォームホイール１３１の歯１３２は、ウォームホイール１３１の全周にわたって形成されているが、その一部のみを示している。
【００３４】
そして、ウォームホイール１３１とウォームギア１３６との組み合わせにより、電動モータ１２からの回転駆動は、減速されるとともに駆動方向が変化されてウォームギア１３６に伝達される。つまり、ウォームホイール１３１が電動モータ１２の回転駆動により図５のＡ−Ｂ方向に回転されると、ウォームギア１３６は図５のＡ’−Ｂ’方向に移動する。
【００３５】
電動モータ１２の駆動力でウォームギア１３６が図５のＡ’−Ｂ’方向に移動することにより、ウォームギア１３６の移動方向と同方向に伸びるスライド機構１７（図４）が連動する。スライド機構１７は、クッションフレーム１１１’に固定されているため、シート本体１１は、電動モータ１２の駆動力により前後移動する。したがって、ギア部１３により、電動モータ１２側とシート本体１１側が連結され、駆動力が伝達される。
【００３６】
ソレノイド１４は、解除軸１４１を介して駆動シャフト１６の他端部に固定されている。ソレノイド１４の作動により、ギア部１３の伝達が機械的に解除される。ソレノイド１４は、解除軸１４１を嵌合部１３５の嵌合面に対して略垂直方向（図４の矢印Ｘ）に移動させることにより、駆動シャフト１６の回転中心を移動（図４および図５の矢印Ｙ）させる。これにより、ウォームホイール１３１は嵌合部１３５から離れ（図５の矢印Ｚ）、ギア部１３の伝達が解除される。また、駆動シャフト１６はユニバーサルジョイント１５により電動モータ１２と連結されているため、ソレノイド１４が作動する際に電動モータ１２がフロアＦに固定されていても支障はない。
【００３７】
仮に、本実施例において、電動モータ１２と駆動シャフト１６とが直接連結されている場合は、電動モータ１２を移動可能に設置することにより、駆動シャフト１６と電動モータ１２の回転中心をともに移動させてもよい。
【００３８】
なお、ギア部１３，ソレノイド１４，ユニバーサルジョイント１５，駆動シャフト１６は、電動モータ１２に対して対称的に配設されている（図４）。そして、ソレノイド１４の作動後には、ギアボックス１３０および駆動シャフト１６，ユニバーサルジョイント１５は、図４の点線で示した状態となる。
【００３９】
また、本実施例の乗員離脱装置は、エアバッグ２０と、センサ３０と、エアバッグＥＣＵ４０と、を有する。
【００４０】
エアバッグ２０は、シート本体１１の前方に装備されている。エアバッグ２０は、インフレータ（図示せず）の点火により、必要に応じて展開される。また、センサ３０は、車両の状態を常時検出する。センサ３０は、加速度を検出するＧセンサ、車速を検出する車速センサ、シート本体１１に加えられる重量を検出する重量センサからなる。
【００４１】
エアバッグＥＣＵ４０は、センサ３０の検出結果に応じてエアバッグ２０を展開させ、エアバッグ２０が展開してから所定の時間が経過した後にソレノイド１４を作動させる。エアバッグＥＣＵ４０には、センサ３０から検出結果が入力される。エアバッグＥＣＵ４０は、センサ３０から入力された検出結果に基づいて、衝突の判定およびエアバッグ２０の展開とソレノイド１４の作動を制御する。
【００４２】
また、エアバッグＥＣＵ４０は、コンデンサ４１を有する。コンデンサ４１には、一定時間のエアバッグＥＣＵ４０の作動とインフレータの点火およびソレノイド１４の作動ができる電力が蓄えられている。
【００４３】
次に、本実施例の乗員離脱装置の作用を説明する。
【００４４】
本実施例の乗員離脱装置において、エアバッグＥＣＵ４０では、センサ３０の検出結果に基づき演算処理を行い、エアバッグ２０の作動条件の要否を判定する。エアバックＥＣＵ４０は、エアバッグ２０の展開が必要と判断すると、展開信号を送出する。展開信号は、コンデンサ４１からエアバッグ２０のインフレータ（図示せず）に電流が送られることにより送出され、エアバッグ２０が展開する。
【００４５】
次に、エアバッグＥＣＵ４０は、エアバッグ２０が展開してから所定の時間が経過したか否かを判定する。エアバックＥＣＵ４０は、展開から所定の時間が経過したと判断すると、解除信号を送出する。解除信号は、コンデンサ４１からソレノイド１４に電流が送られることにより送出され、ソレノイド１４が作動する。
【００４６】
そして、ソレノイド１４の作動により、駆動シャフト１６が上方へ突き上げられるため、ギア部１３においてウォームホイール１３１とウォームギア１３６との嵌合（１３５）が解除される。そのため、乗員自らがシート本体１１に体重をかけて後方に押すか、または、第三者がシート本体１１を後方へ押し付けることにより、シート本体１１は後方へ容易に移動する。
【図面の簡単な説明】
【００４７】
【図１】本発明の乗員離脱装置の概略を表すブロック図である。
【図２】実施例の乗員離脱装置を表すブロック図である。
【図３】実施例の乗員離脱装置のシート本体の斜視図である。
【図４】実施例の乗員離脱装置を模式的に示す斜視図である。
【図５】実施例の乗員離脱装置のギアボックス内（ギア部）を模式的に示す斜視図である。
【符号の説明】
【００４８】
１０：電動シート装置
１１：シート本体
１２：電動モータ（電動駆動源）
１３：ギア部（駆動力伝達手段）
１３１：ウォームホイール
１３６：ウォームギア
１４：ソレノイド（伝達解除手段）
２０：エアバッグ
３０：センサ（検出手段）
４０：エアバッグＥＣＵ（制御手段）
４１：コンデンサ（バックアップ電源）
【図１】
2005271732.tif 000003
【図２】
2005271732.tif 000004
【図３】
2005271732.tif 000005
【図４】
2005271732.tif 000006
【図５】
2005271732.tif 000007